(57)【特許請求の範囲】
【請求項１】
ファクシミリ網制御部と通知情報記憶部と内線通信制御部と内線網制御部と音声合成部を有し、前記ファクシミリ網制御部はファクシミリ回線に接続し該ファクシミリ回線を介してファクシミリ送信し、前記通知情報記憶部はファクシミリ送信操作時に入力されたファクシミリ送信元の内線電話番号、ファクシミリ送信先のファクシミリ番号、ファクシミリ送信画像データに付与された受付番号及び前記ファクシミリ網制御部がファクシミリ送信した結果を記憶し、前記内線通信制御部はファクシミリ送信が終了すると前記通知情報記憶部に記憶したファクシミリ送信元の内線番号を前記内線網制御部に送り、前記内線網制御部は前記内線通信制御部から送られた内線電話番号に対して構内回線を介して発呼し、前記音声合成部は前記内線網制御部が発呼した内線電話機と構内回線が接続した後に前記通知情報記憶部に記憶したファクシミリ送信結果、ファクシミリ送信先のファクシミリ番号、及びファクシミリ送信画像データに付与された受付番号を基に音声メッセージを合成し、合成した音声メッセージを前記内線網制御部を介してファクシミリ送信元の内線電話機に送るファクシミリ装置において、
発呼回数記憶部と通知方法切換部を有し、前記発呼回数記憶部は送信操作時に内線電話機の再発呼回数が指定されたときに指定された再発呼回数を記憶し、前記通知方法切換部は前記発呼回数記憶部が再発呼回数を記憶しているときは内線電話機を再発呼した回数が前記発呼回数記憶部に記憶した再発呼回数を超えた場合にファクシミリ送信状況をレポート出力による通知に切り換え、前記発呼回数記憶部に再発呼回数が記憶されていないときは内線電話機を再発呼した回数が予め定めた一定回数を超えた場合にファクシミリ送信状況をレポート出力による通知に切り換えることを特徴とするファクシミリ装置。
【請求項２】
前記音声合成部は内線電話機からのＤＴＭＦ信号を検出するＤＴＭＦ検出部が検出したＤＴＭＦ信号に内線電話番号が含まれると、前記ＤＴＭＦ検出部が検出したＤＴＭＦ信号に含まれた内線電話番号のファクシミリ送信状況データを前記通知情報記憶部に記憶したファクシミリ送信状況データの中から全て選び音声メッセージに変換する請求項１記載のファクシミリ装置。
【発明の詳細な説明】
【０００１】
【産業上の利用分野】
この発明はファクシミリ装置、特にファクシミリ送信結果の通知に関するものである。
【０００２】
【従来の技術】
画像データが相手先に送信されたことを知るため、ファクシミリ装置の利用者はファクシミリ送信結果を確認する必要がある。ファクシミリ送信結果を確認する手段として、ファクシミリ送信結果をレポートにして送信元ファクシミリ装置から印字する送信結果レポート印字手段がある。この送信結果レポート印字手段を備えたファクシミリ装置においてファクシミリ送信結果を確認するためには、ファクシミリ装置の利用者がファクシミリ装置設置場所まで行かなければならない。これに対して、特開平２−２４８１５１号公報に掲載されたファクシミリ送信結果通知方法ではファクシミリ送信結果を通知する内線電話番号をファクシミリ送信操作時に記憶し、ファクシミリ送信が終了又は中断すると、構内交換機で構内回線とファクシミリ回線を切り換え、ファクシミリ送信結果を音声メッセージに変換し、送信元の内線電話機を介して利用者に通知して、ファクシミリ装置の利用者が自分の席にいながらファクシミリ送信結果を確認できるようにしている。
【０００３】
【発明が解決しようとする課題】
しかしながら、上記ファクシミリ送信結果通知方法において構内回線とファクシミリ回線の切り換えを構内交換機で行ないファクシミリ通信と内線電話機に対する通信とをファクシミリ装置内の一つの通信網制御部で制御するようにすると、ファクシミリ装置が内線電話機を発呼している間はファクシミリ回線からの発呼又は着呼ができず、ファクシミリ装置の利用可能時間が減少する。
【０００４】
特に、内線電話機が多いほど同じファクシミリ装置を利用する利用者が多いと考えることができ、ファクシミリ装置の利用者が多いと、ファクシミリ送信結果通知のための内線通話の使用回数も多くなり、ファクシミリ送受信をできないできない場合が多くなる。
【０００５】
この発明はかかる短所を解消するためになされたものであり、ファクシミリ送受信を妨げることなくファクシミリ送信結果を音声メッセージで利用者に通知することにより、利用者の労力の削減及びファクシミリ装置の利用効率の向上を目的とする。
【０００６】
【課題を解決するための手段】
この発明に係るファクシミリ装置は、ファクシミリ網制御部と通知情報記憶部と内線通信制御部と内線網制御部と音声合成部を有し、ファクシミリ網制御部はファクシミリ回線に接続しファクシミリ回線を介してファクシミリ送信し、通知情報記憶部はファクシミリ送信操作時に入力されたファクシミリ送信元の内線電話番号、ファクシミリ送信先のファクシミリ番号、ファクシミリ送信画像データに付与された受付番号及びファクシミリ網制御部がファクシミリ送信した結果を記憶し、内線通信制御部はファクシミリ送信が終了すると通知情報記憶部に記憶したファクシミリ送信元の内線番号を内線網制御部に送り、内線網制御部は内線通信制御部から送られた内線電話番号に対して構内回線を介して発呼し、音声合成部は内線網制御部が発呼した内線電話機と構内回線が接続した後に通知情報記憶部に記憶したファクシミリ送信結果、ファクシミリ送信先のファクシミリ番号、及びファクシミリ送信画像データに付与された受付番号を基に音声メッセージを合成し、合成した音声メッセージを内線網制御部を介してファクシミリ送信元の内線電話機に送る。更に、本発明のファクシミリ装置は、発呼回数記憶部と通知方法切換部を有している。発呼回数記憶部は送信操作時に内線電話機の再発呼回数が指定されたときに指定された再発呼回数を記憶し、通知方法切換部は発呼回数記憶部が再発呼回数を記憶しているときは内線電話機を再発呼した回数が発呼回数記憶部に記憶した再発呼回数を超えた場合にファクシミリ送信状況をレポート出力による通知に切り換え、発呼回数記憶部に再発呼回数が記憶されていないときは内線電話機を再発呼した回数が予め定めた一定回数を超えた場合にファクシミリ送信状況をレポート出力による通知に切り換える。
【００１１】
さらに、音声合成部はＤＴＭＦ検出部が検出したＤＴＭＦ信号に内線電話番号が含まれると、ＤＴＭＦ検出部が検出したＤＴＭＦ信号に含まれた内線電話番号のファクシミリ送信状況データを通知情報記憶部に記憶したファクシミリ送信状況データの中から全て選び音声メッセージに変換すると良い。
【００１２】
【作用】
この発明においては、ファクシミリ網制御部はファクシミリ回線に接続し、ファクシミリ回線を介してファクシミリ送信し、通知情報記憶部はファクシミリ送信操作時に入力されたファクシミリ送信元の内線電話番号、ファクシミリ送信先のファクシミリ番号、ファクシミリ送信画像データに付与された受付番号及びファクシミリ網制御部がファクシミリ送信した結果を記憶する。内線通信制御部はファクシミリ送信が終了すると通知情報記憶部にファクシミリ送信操作時に記憶したファクシミリ送信元の内線電話番号を内線網制御部に送る。内線網制御部は内線通信制御部から内線電話番号を受けると、内線通信制御部から受けた内線電話番号に対して構内回線を介して発呼する。音声合成部は内線網制御部が発呼した内線電話機と構内回線が接続した後に通知情報記憶部に記憶したファクシミリ送信結果、ファクシミリ送信先のファクシミリ番号、及びファクシミリ送信画像データに付与された受付番号を基に音声メッセージを合成し、合成した音声メッセージを内線網制御部を介してファクシミリ送信元の内線電話機に送りファクシミリ送信元の利用者に通知する。更に、本発明のファクシミリ装置は、発呼回数記憶部と通知方法切換部を有している。発呼回数記憶部は送信操作時に内線電話機の再発呼回数が指定されたときに指定された再発呼回数を記憶する。通知方法切換部は発呼回数記憶部が再発呼回数を記憶しているときは内線電話機を再発呼した回数が発呼回数記憶部に記憶した再発呼回数を超えた場合にファクシミリ送信状況をレポート出力による通知に切り換え、発呼回数記憶部に再発呼回数が記憶されていないときは内線電話機を再発呼した回数が予め定めた一定回数を超えた場合にファクシミリ送信状況をレポート出力による通知に切り換える。
【００１７】
さらに、音声合成部はＤＴＭＦ検出部が検出したＤＴＭＦ信号に内線電話番号が含まれると、通知情報記憶部に記憶したファクシミリ送信状況の中からＤＴＭＦ信号に含まれた内線電話番号のファクシミリ送信状況データを全て選び音声メッセージに変換して、内線網制御部から発呼元利用者の内線電話機に送る。
【００１８】
【実施例】
図１はこの発明の一実施例を示す構成図である。図に示すように、ファクシミリ装置１は内線交換機２と構内回線４を介して内線電話機３ａ〜３ｎに接続し、ファクシミリ回線５ａを介して外部のファクシミリ装置等と接続する。
【００１９】
ファクシミリ装置１はシステム制御部１１、操作表示部１２、通知情報記憶部１３、通信制御部１４、モデム１５、内線通信制御部１６、ファクシミリ網制御部１７、内線網制御部１８、無音検出部１９、ＤＴＭＦ検出部２０、音声合成部２１、符号化復号化部２２、スキャナ２３及びプロッタ２４を有する。システム制御部１１はファクシミリ装置１全体の制御をする。操作表示部１２はファクシミリ送信操作時に、ファクシミリ送信先のファクシミリ番号及びファクシミリ送信元の利用者の内線電話機３ａ〜３ｎの内線電話番号等を入力する。通知情報記憶部１３はファクシミリ送信操作時に操作表示部１２から入力した内線電話番号、各画像データの送信先ファクシミリ番号、画像データの種類等のファクシミリ送信画像データの識別情報、ファクシミリ送信待ち等のファクシミリ送信画像データの送信状況及びファクシミリ送信結果を記憶する。
【００２０】
通信制御部１４はモデム１５を介してファクシミリ回線５ａとの通信手順を制御する。内線通信制御部１６は通信制御部１４からファクシミリ送信が終了した旨の信号を受けると通知情報記憶部１３に記憶したファクシミリ送信元の利用者の内線電話番号を内線網制御部１８に送る。ファクシミリ網制御部１７はファクシミリ回線５ａとの通信を制御する。内線網制御部１８は構内回線４及び内線交換機２を介した内線電話機３ａ〜３ｎとの通信を制御する。無音検出部１９は着呼側の内線電話機３ａ〜３ｎと構内回線４が接続した後に、一定期間連続した音声信号が送られないことを検出する。ＤＴＭＦ検出部２０は内線電話機３ａ〜３ｎからのＤＴＭＦ信号を検出する。音声合成部２１はファクシミリ送信元の内線電話機３ａ〜３ｎに対してファクシミリ送信結果又はファクシミリ送信データの送信状況等を通知する音声メッセージを合成する。符号化復号化部２２はファクシミリ送信する画像データ又はファクシミリ受信した画像データを圧縮又は伸張する。
【００２１】
上記構成のファクシミリ装置１でファクシミリ送信したときの動作について図２のフローチャートを参照して説明する。
【００２２】
画像データ等をファクシミリ送信する場合は（ステップＳ１）、ファクシミリ装置１の利用者はファクシミリ装置１の操作表示部１２からファクシミリ送信先装置のファクシミリ番号を入力する。ファクシミリ装置１のシステム制御部１１は操作表示部１２から入力した送信先ファクシミリ番号を通知情報記憶部１３に記憶する（ステップＳ２）。ファクシミリ装置１の利用者はファクシミリ送信結果の通知を希望する場合は（ステップＳ３）、操作表示部１２から自分の内線電話機、例えば内線電話機３ａの内線電話番号を入力し、ファクシミリ装置１のシステム制御部１１は入力された内線電話番号を通知情報記憶部１３に記憶する（ステップＳ４）。ファクシミリ装置１の利用者は送信する画像データが記載された原稿をスキャナ２３にセットし、操作表示部１２から画像データの送信を指示する（ステップＳ５）。ファクシミリ装置１のシステム制御部１１は操作表示部１２から送信指示を入力すると、通信制御部１４にファクシミリ網制御部１７に対するファクシミリ番号の通知を指示する。通信制御部１４はシステム制御部１１からの指示を受けると、操作表示部１２から入力したファクシミリ番号をファクシミリ網制御部１７に通知し、ファクシミリ網制御部１７は通信制御部１４から通知されたファクシミリ番号に対してファクシミリ回線５ａを介して発呼し、通信制御部１４はスキャナ２３から画像データを読み込み送信する（ステップＳ６）。
【００２３】
ファクシミリ送信が終了又は中断して、ファクシミリ網制御部１７がファクシミリ送信終了信号又はファクシミリ送信中断信号を受信すると、通信制御部１４はシステム制御部１１と内線通信制御部１６にファクシミリ送信の終了を通知する。ファクシミリ装置１のシステム制御部１１は通信制御部１４が外部装置から受信した情報を基にファクシミリ送信が正常に終了した又はエラーが発生して送信が中断した等のファクシミリ送信結果を検出し、検出したファクシミリ送信結果を通知情報記憶部１３に記憶する。内線通信制御部１６は通信制御部１４からファクシミリ送信終了の通知を受けると、通知情報記憶部１３からファクシミリ送信元の利用者の内線電話番号を読み出して内線網制御部１８に送る。内線網制御部１８は内線通信制御部１６から受けた内線電話番号に対して発呼して、ファクシミリ送信を指示した利用者の内線電話機３ａを構内回線４を介して発呼する（ステップＳ７）。
【００２４】
ファクシミリ装置１の内線網制御部１８が着呼側の内線電話機３ａと構内回線４が接続したことを検知すると、システム制御部１１は音声合成部２１にファクシミリ送信結果を通知するための音声メッセージの合成を指示する。音声合成部２１はシステム制御部１１からの指示を受けると、システム制御部１１が検出したファクシミリ送信結果及びファクシミリ送信先のファクシミリ番号等を通知情報記憶部１３から読み出し、読み出したファクシミリ送信結果等を基に、ファクシミリ送信が正常に終了した場合には、例えば「こちらはファクシミリです。ご依頼いただきました＊＊＊様宛の送信原稿＃＃＃枚は送信が完了しました。」等のメッセージを、また、ファクシミリ送信がエラーの発生により中断した場合には、例えば「こちらはファクシミリです。ご依頼いただきました＊＊＊様宛の送信原稿＃＃＃枚は通信エラーが発生しました。もう一度送りなおして下さい。」等のファクシミリ送信結果等を示す音声メッセージを合成して、内線網制御部１８を介して内線電話機３ａに出力する（ステップＳ８）。このように、ファクシミリ送信結果を基に音声メッセージを合成し、利用者の内線電話機３ａに送出するので、利用者は自分の席に居ながらファクシミリ送信結果を知ることができ、ファクシミリ送信結果を確認するためにファクシミリ装置１が設置されている場所まで行く作業を無くすことができる。
【００２５】
また、ファクシミリ網制御部１７がファクシミリ回線５ａを介してファクシミリ送受信を行ない、内線網制御部１８が構内回線４を介して内線電話機３ａ〜３ｎに対する音声メッセージの送信を行なうので、内線電話機３ａ〜３ｎに対する音声メッセージ送信時であっても、ファクシミリ送受信が可能であり、音声メッセージの送信によりファクシミリ送受信が妨げられることを防止できる。
【００２６】
また、ファクシミリ送信先のファクシミリ番号等のファクシミリ情報の識別等を基に、音声メッセージを合成してファクシミリ送信結果と共に利用者に通知するので、利用者は複数の相手先にファクシミリ送信する場合又は同一相手先に複数の異なった画像データをファクシミリ送信する場合に、どの画像データのファクシミリ送信が終了したかを容易に判別することができる。
【００２７】
なお、上記実施例ではファクシミリ送信先のファクシミリ番号等を基にファクシミリ送信画像データを識別しているが、ファクシミリ送信操作時にファクシミリ装置１で各ファクシミリ送信画像データに受付番号を自動採番し、自動採番した受付番号を操作表示部１２から表示して利用者に通知し、ファクシミリ送信結果と共に自動採番した受付番号を音声メッセージに変換して送付しファクシミリ送信画像データを利用者が識別できるようにしても良い。
【００２８】
次ぎに、上記構成のファクシミリ装置１で留守番モードに設定されている内線電話機３ａ〜３ｎにファクシミリ通信結果を通知するときの動作について図３のフローチャートを参照して説明する。
【００２９】
ファクシミリ送信時に（ステップＳ１１）、ファクシミリ装置１の利用者がファクシミリ装置１の操作表示部１２からファクシミリ送信先装置のファクシミリ番号及び自分の内線電話機、例えば内線電話機３ａの内線電話番号を入力すると、システム制御部１１は入力した送信先ファクシミリ番号及び内線電話番号を通知情報記憶部１３に記憶する（ステップＳ１２）。その後、ファクシミリ装置１の利用者が送信する画像データが記載された原稿をスキャナ２３にセットし、操作表示部１２から画像データの送信を指示すると（ステップＳ１３）、通信制御部１４はファクシミリ番号をファクシミリ網制御部１７に通知し、ファクシミリ網制御部１７はファクシミリ回線５ａを介して発呼し、通信制御部１４はスキャナ２３から画像データを読み込み送信する（ステップＳ１４）。
【００３０】
ファクシミリ送信が終了又は中断して、通信制御部１４がファクシミリ網制御部１７を介してファクシミリ送信終了信号又はファクシミリ送信中断信号を受信すると、システム制御部１１はファクシミリ送信が正常に終了した又はエラーが発生して送信が中断した等のファクシミリ送信結果を検出し、検出したファクシミリ送信結果を通知情報記憶部１３に記憶する。内線通信制御部１６は通信制御部１４からファクシミリ送信終了の通知を受けると、通知情報記憶部１３からファクシミリ送信元の利用者の内線電話番号を読み出し内線網制御部１８に送る。内線網制御部１８は内線通信制御部１６から受けた内線電話番号に対して発呼して、ファクシミリ送信を指示した利用者の内線電話機３ａを構内回線４を介して発呼する（ステップＳ１５）。
【００３１】
ファクシミリ装置１の内線網制御部１８は着呼側の内線電話機３ａと構内回線４が接続したことを検知し、無音検出部１９は内線網制御部１８が着呼側の内線電話機３ａと構内回線４が接続したことを検知すると、一定期間連続した音声信号が送られないことを検出する無音検出を開始する（ステップＳ１６）。無音検出部１９が一定期間連続した音声信号が送られないことを検出すると、システム制御部１１は音声合成部２１にファクシミリ送信結果を通知するための音声メッセージの合成を指示する。音声合成部２１はシステム制御部１１からの指示を受けると、システム制御部１１が検出したファクシミリ送信結果及びファクシミリ送信先のファクシミリ番号等を通知情報記憶部１３から読み出し、読み出したファクシミリ送信結果等を基にファクシミリ送信結果等を示す音声メッセージを合成して、内線網制御部１８を介して内線電話機３ａに出力する（ステップＳ１７）。このように、発呼した内線電話機３ａがオフフックした後に無音検出部１９で無音を検出してから音声メッセージを送信するので、例えば発呼した内線電話機３ａが留守番モードになっている場合でも、発呼した内線電話機３ａが音声応答をして録音モードになったことを確認してから音声メッセージ送信することができ、内線電話機３ａの音声応答中に音声メッセージを送出して音声メッセージが利用者に伝わらない事態が発生することを防止する。
【００３２】
また、図４に示すように発呼回数記憶部２５と通知方法切換部２６を備えるようにしても良い。ファクシミリ装置１の利用者はファクシミリ送信操作時にファクシミリ送信結果を通知する内線電話機３ａ〜３ｎの内線電話番号を入力し、内線電話番号を入力した内線電話機３ａ〜３ｎの使用頻度が高くファクシミリ装置１から発呼する場合に再発呼する必要性が高い場合は、再発呼の上限回数を多く、また、逆に使用頻度が低い場合には再発呼の上限回数を少なく操作表示部１２から指定する。発呼回数記憶部２５は操作表示部１２からファクシミリ送信操作時に再発呼する上限回数の指定を入力すると、入力した再発呼の上限回数を記憶する。通知方法切換部２６は発呼回数記憶部２５に再発呼回数の指定が記憶されているときは内線電話機３ａ〜３ｎを再発呼した回数が発呼回数記憶部２５に記憶した再発呼回数を越えた場合にファクシミリ送信状況をレポート出力による通知に切り換え、発呼回数記憶部２５に再発呼回数が指定されていないときは内線電話機３ａ〜３ｎを再発呼した回数が予め定めた一定回数、例えば３回を越えた場合にファクシミリ送信状況をレポート出力による通知に切り換え、例えば図５に示すような送信結果レポートをプロッタ２４から出力する。これにより、内線電話機３ａ〜３ｎの使用頻度にあわせファクシミリ通信結果の通知方法を変更することができ、また、再発呼内数を内線電話機３ａ〜３ｎの使用頻度に合わせて指定するのでファクシミリ装置１の負荷の増大を押えることができる。
【００３３】
次ぎに、内線電話機３ａ〜３ｎの利用者がファクシミリ送信状況を問い合わせたときのファクシミリ装置１の動作について、図６のフローチャートを参照して説明する。
【００３４】
ファクシミリ装置１のシステム制御部１１は、例えば内線電話機３ａからの着呼を検出すると（ステップＳ２１）、ＤＴＭＦ検出部２０にＤＴＭＦ信号の検出を指示し、通信制御部１４は構内回線４との通信手順を制御する。ＤＴＭＦ検出部２０はＤＴＭＦ信号を検出すると（ステップＳ２２）、通信制御部１４に構内回線４との通信手順の中断を指示し、検出したＤＴＭＦ信号に、例えばファクシミリ送信画像データの識別情報としてファクシミリ送信画像データの受付番号が含まれているか否かを調べる。ＤＴＭＦ検出部２０は受付番号が含まれている場合は（ステップＳ２３）、音声合成部２１に該当データを基にした音声合成を指示する。音声合成部２１はＤＴＭＦ検出部２０から指示を受けると、受信した受付番号のファクシミリ送信画像データの送信状況データを通知情報記憶部１３から読み出し、読み出した送信状況データを基に音声メッセージを合成し（ステップＳ２４）、内線網制御部１８を介してファクシミリ送信状況の送信を要求した内線電話機３ａに送付する（ステップＳ２５）。このように、特定のファクシミリ送信画像データの送信状況が要求されると、要求されたファクシミリ送信画像データが送信待ちである、又は再送待ちであること等を示す音声メッセージを送信するので、ファクシミリ装置１の利用者が送信状況を分からずに画像データを再送する等の問題を解消することができる。
【００３５】
ＤＴＭＦ検出部２０は検出したＤＴＭＦ信号に受付番号が含まれていない場合は、検出したＤＴＭＦ信号にファクシミリ送信操作時に入力された内線電話番号、例えば内線電話機３ａの内線電話番号が含まれているか否かを調べる。ＤＴＭＦ検出部２０はＤＴＭＦ信号に内線電話番号が含まれている場合は（ステップＳ２６）、音声合成部２１に該当データを基にした音声合成を指示する。音声合成部２１はＤＴＭＦ検出部２０からに指示を受けると、受信した内線電話番号に対応したファクシミリ送信画像データの送信状況データを通知情報記憶部１３から順に読み出し、読み出した送信状況データを基に音声メッセージを合成し（ステップＳ２７）、内線網制御部１８を介して送信状況の送信を要求した内線電話機３ａに送付する（ステップＳ２８）。音声合成部２１は受信した内線電話番号がファクシミリ送信操作時に入力されたファクシミリ送信画像データの送信状況データを全て音声メッセージにして送出するまで送信状況データの読み出しから音声メッセージ送出までの処理を繰り返す（ステップＳ２９）。これにより、例えば利用者が受付番号等のファクシミリ送信画像データの識別情報を忘れた場合でも個々のファクシミリ送信情報を知ることができる。
【００３６】
なお、上記実施例においては通信制御部１４と内線通信制御部１６を備えて、通信制御部１４がファクシミリ網制御部１７を介してファクシミリ回線との通信を制御し、内線通信制御部１６が内線網制御部１８を介して構内回線４との通信を制御するようにしたが、図７に示すように回線切換部２７を備え、回線切換部２７がファクシミリ網制御部１７と内線網制御部１８を切り換えて通信制御部１４に接続し、通信制御部１４でファクシミリ回線５ａ及び構内回線４との接続を制御するようにしても良い。
【００３７】
【発明の効果】
この発明は以上説明したように、発呼操作時に再発呼回数が指定されたときは内線電話機を再発呼した回数が指定された再発呼回数を超えた場合にファクシミリ送信状況をレポート出力による通知に切り換え、再発呼回数が指定されていないときは内線電話機を再発呼した回数が予め定めた一定回数を超えた場合にファクシミリ送信状況をレポート出力による通知に切り換えるので、内線電話器の使用頻度に応じてファクシミリ送信結果をレポート出力して、ファクシミリ送受信に影響を及ぼすことを防止できる。
【００４３】
さらに、検出したＤＴＭＦ信号に送信操作時に入力された内線電話番号が含まれていると、記憶したファクシミリ送信状況の中から当該内線電話番号に係わるファクシミリ送信状況データを全て選び音声メッセージに変換して、発呼元利用者の内線電話機に送出するので、利用者がファクシミリ送信画像データの識別等が分からなくともファクシミリ送信状況を確認することができる。
【図面の簡単な説明】
【図１】この発明の実施例を示す構成図である。
【図２】ファクシミリ送信結果を通知する場合の動作を示すフローチャートである。
【図３】内線電話機が留守番モードの場合の動作を示すフローチャートである。
【図４】通知方法を切り換えるファクシミリ装置の構成図である。
【図５】送信結果レポートの構成図である。
【図６】ファクシミリ送信状況要求があった場合の動作を示すフローチャートである。
【図７】他の実施例の構成図である。
【符号の説明】
１        ファクシミリ装置
３        内線電話機
４        構内回線
５ａ      ファクシミリ回線
１３      通知情報記憶部
１４      通信制御部
１５      モデム
１６      内線通信制御部
１７      ファクシミリ網制御部
１８      内線網制御部
１９      無音検出部
２０      ＤＴＭＦ検出部
２１      音声合成部
２５      発呼回数記憶部
２６      通知方法切換部
【図１】
0003597257.tif 000002
【図２】
0003597257.tif 000003
【図３】
0003597257.tif 000004
【図４】
0003597257.tif 000005
【図５】
0003597257.tif 000006
【図６】
0003597257.tif 000007
【図７】
0003597257.tif 000008